(57)【要約】【課題】歩行効率を高め、なおかつ、外見上あまり目立たないようにしつつ、安定して装着することができる足指間装着具を提供する。【解決手段】足指間装着具１０１は、弾性材料で形成され、足の親指と人差し指との間に装着する足指間装着具であって、上下方向に延在し、中空で、上から見たとき前側がつながっていない柱部１と、柱部１ｃの下端から、前記親指の下側の少なくとも一部および前記人差し指の下側の少なくとも一部にそれぞれ回り込むように左右に張り出した部分を含む下側張出部２と、柱部１の上端から、前記親指の上側の少なくとも一部および前記人差し指の上側の少なくとも一部にそれぞれ回り込むように左右に張り出した第１部分３１を含む上側張出部３とを備える。【選択図】図１
2019141168.tif 000002
【特許請求の範囲】
【請求項１】
弾性材料で形成され、足の親指と人差し指との間に装着する足指間装着具であって、
上下方向に延在し、中空で、上から見たとき前側がつながっていない柱部と、
前記柱部の下端から、前記親指の下側の少なくとも一部および前記人差し指の下側の少なくとも一部にそれぞれ回り込むように左右に張り出した部分を含む下側張出部と、
前記柱部の上端から、前記親指の上側の少なくとも一部および前記人差し指の上側の少なくとも一部にそれぞれ回り込むように左右に張り出した第１部分を含む上側張出部とを備える、足指間装着具。
【請求項２】
下側張出部を水平面に載置した状態で全体を側方から見たとき、前記柱部は、上側にいくにつれて後ろ側に傾斜している、請求項１に記載の足指間装着具。
【請求項３】
全体が左右対称な形状となっている、請求項１または２に記載の足指間装着具。
【請求項４】
前記柱部は、水平面で切断して上から見たときの断面形状がＵ字形状となる部分を含む、請求項１から３のいずれかに記載の足指間装着具。
【請求項５】
上から見たとき、前記下側張出部は左後ろ側および右後ろ側に向かってそれぞれ延在する部分を含む、請求項１から４のいずれかに記載の足指間装着具。
【請求項６】
前記上側張出部は、後方に向かって張り出した第２部分を含む、請求項１から５のいずれかに記載の足指間装着具。
【請求項７】
前記下側張出部は、下側に平坦な面を有する、請求項１から６のいずれかに記載の足指間装着具。
【請求項８】
前記柱部の側面と前記上側張出部の下面とは連続的な曲面を介してつながっている、請求項１から７のいずれかに記載の足指間装着具。
【発明の詳細な説明】
【技術分野】
【０００１】
本発明は、足指間装着具に関するものである。
【背景技術】
【０００２】
靴中敷に接着して使用する特殊鼻緒が、特許第６０４４７７８号（特許文献１）に記載されている。
【０００３】
運動中における足の踏ん張り力を強くするための器具が、特開２００９−２５４６８０号公報（特許文献２）に記載されている。
【０００４】
歩行時、運動時に良い姿勢を保つための足指間パッドが、特開２０１４−２３９７８３号公報（特許文献３）に記載されている。
【先行技術文献】
【特許文献】
【０００５】
【特許文献１】特許第６０４４７７８号
【特許文献２】特開２００９−２５４６８０号公報
【特許文献３】特開２０１４−２３９７８３号公報
【発明の概要】
【発明が解決しようとする課題】
【０００６】
特許文献１に記載された特殊鼻緒は靴中敷に接着して使用するものであるので、特定の靴中敷に一旦接着してしまうと、その靴中敷にしか使用できないものであった。
【０００７】
特許文献２に記載された器具では、足指の下側で板状部分を押さえつけるのみであって、足指の上側においては引っ掛かるものがなかったので、足指間に装着したときの安定感が十分ではなかった。
【０００８】
特許文献３に記載された足指間パッドは足の５本の足指間の全てに介在させるものであり、大がかりなものであった。外見上も目立ってしまうし、装着することによる違和感も大きなものであった。
【０００９】
一方、浮指という症状が知られている。浮指になっている人は、歩行の際に足底の重心位置が後ろ寄りになってしまい、十分な力での蹴り出しをすることができず、歩行効率が低下しがちとなる。
【００１０】
そこで、本発明は、歩行効率を高め、なおかつ、外見上あまり目立たないようにしつつ、安定して装着することができる足指間装着具を提供することを目的とする。
【課題を解決するための手段】
【００１１】
上記目的を達成するため、本発明に基づく足指間装着具は、弾性材料で形成され、足の親指と人差し指との間に装着する足指間装着具であって、上下方向に延在し、中空で、上から見たとき前側がつながっていない柱部と、上記柱部の下端から、上記親指の下側の少なくとも一部および上記人差し指の下側の少なくとも一部にそれぞれ回り込むように左右に張り出した部分を含む下側張出部と、上記柱部の上端から、上記親指の上側の少なくとも一部および上記人差し指の上側の少なくとも一部にそれぞれ回り込むように左右に張り出した第１部分を含む上側張出部とを備える。
【発明の効果】
【００１２】
本発明によれば、歩行効率を高めることができる。本発明に基づく足指間装着具は、外見上あまり目立たないようにしつつ、安定して装着することができる。
【図面の簡単な説明】
【００１３】
【図１】本発明に基づく実施の形態１における足指間装着具の斜視図である。
【図２】本発明に基づく実施の形態１における足指間装着具の側面図である。
【図３】本発明に基づく実施の形態１における足指間装着具の平面図である。
【図４】本発明に基づく実施の形態１における足指間装着具の正面図である。
【図５】本発明に基づく実施の形態１における足指間装着具の下面図である。
【図６】図４におけるＶＩ−ＶＩ線に関する矢視断面図である。
【図７】図４におけるＶＩＩ−ＶＩＩ線に関する矢視断面図である。
【図８】本発明に基づく実施の形態１における足指間装着具の変形例の側面図である。
【図９】本発明に基づく実施の形態２における足指間装着具の斜視図である。
【図１０】本発明に基づく実施の形態２における足指間装着具の側面図である。
【図１１】本発明に基づく実施の形態２における足指間装着具の変形例の側面図である。
【図１２】本発明に基づく実施の形態３における足指間装着具の断面図である。
【図１３】本発明に基づく実施の形態３における足指間装着具の変形例の断面図である。
【図１４】本発明に基づく実施の形態４における足指間装着具の平面図である。
【図１５】本発明に基づく実施の形態５における足指間装着具の平面図である。
【発明を実施するための形態】
【００１４】
（実施の形態１）
（構成）
図１〜図７を参照して、本発明に基づく実施の形態１における足指間装着具１０１について説明する。足指間装着具１０１の斜視図を図１に示す。足指間装着具１０１を側方から見たところを図２に示す。足指間装着具１０１の平面図を図３に示す。足指間装着具１０１の正面図を図４に示す。図４では、足指間装着具１０１をユーザの右足に装着する場合を想定して、右足の親指６１および人差し指６２を二点鎖線で表示している。足指間装着具１０１の下面図を図５に示す。図４におけるＶＩ−ＶＩ線に関する矢視断面図を図６に示す。図４におけるＶＩＩ−ＶＩＩ線に関する矢視断面図を図７に示す。いくつかの図においては、前側９１が矢印で示されている。
【００１５】
足指間装着具１０１は、弾性材料で形成され、足の親指６１と人差し指６２との間に装着する足指間装着具である。足指間装着具１０１は、柱部１と、下側張出部２と、上側張出部３とを備える。柱部１は、上下方向に延在し、中空である。ただし、柱部１を上から見たとき、柱部１の前側９１はつながっていない。柱部１は、前側９１に凹部１ｃを有する。下側張出部２は、柱部１の下端から、親指６１の下側の少なくとも一部および人差し指６２の下側の少なくとも一部にそれぞれ回り込むように左右に張り出した部分を含む。上側張出部３は、柱部１の上端から、親指６１の上側の少なくとも一部および人差し指６２の上側の少なくとも一部にそれぞれ回り込むように左右に張り出した第１部分３１を含む。
【００１６】
（作用・効果）
本実施の形態では、上述の構成を備えることにより、足の親指６１と人差し指６２との間に容易に装着することができ、柱部１を親指６１と人差し指６２とで挟む形となる。柱部１も弾性材料で形成されているので、柱部１の弾力により親指６１と人差し指６２との筋肉を使わせることができる。これにより、歩行効率を高めることができる。なおかつ、足指間装着具１０１は、コンパクトなものであるので、足指間装着具が外見上あまり目立たないようにすることができる。しかも、この足指間装着具は、親指６１と人差し指６２の上側の少なくとも一部および下側の少なくとも一部にそれぞれ張り出す部分を備えるので、安定して装着することができる。足指間装着具１０１による歩行効率に関する効果を検証する詳細な実験結果については、後述する。
【００１７】
図２に示すように、下側張出部２を水平面に載置した状態で、足指間装着具１０１の全体を側方から見たとき、柱部１は、上側にいくにつれて後ろ側に傾斜していることが、好ましい。この構成を採用することにより、足の形状になじみ、履物の中に収まりやすくなる。使用者に与える違和感を小さくすることができる。たとえば図８に示す足指間装着具１０２のように、後ろ側に傾斜しない構成のものであっても一定の効果は得られるが、足指間装着具１０１のように柱部１が後ろ側に傾斜していることが好ましい。
【００１８】
図３〜図５に示すように、足指間装着具１０１の全体は、左右対称な形状となっていることが好ましい。この構成を採用することにより、右足用と左足用との区別を気にする必要がなくなり、同じ形状の物で兼用することができるので、使い勝手が良くなる。ここでは、左右対称な形状を有する例を示したが、これに限らない。たとえば足指間装着具の各々が左右非対称な形状を有するものとして、左足用と右足用とで形状を異ならせてもよい。このようにすれば、左足、右足の形状に合わせてより正確にフィットさせることができる。一般的に親指に比べて人差し指は径が小さいので、左右非対称な形状とすることによって、親指および人差し指のそれぞれに密着するような構成とすることができ、不所望なタイミングで足から外れることを防止することができる。
【００１９】
図７に示すように、柱部１は、水平面で切断して上から見たときの断面形状がＵ字形状となる部分を含むことが好ましい。この構成を採用することにより、親指と人差し指との間にフィットしやすく、挟まれることによって変形しやすくなる。
【００２０】
図３に示すように、上から見たとき、下側張出部２は左後ろ側９２および右後ろ側９３に向かってそれぞれ延在する部分を含むことが好ましい。この構成を採用することにより、装着時に安定させることができる。親指と人差し指によって柱部１を挟み込んで変形させたときには、下側張出部２は、左後ろ側９２と右後ろ側９３とを向く状態から、左側と右側とを向く状態へと姿勢が変化する。こうして、下側張出部２は足指の下側の隙間にちょうど収まりやすくなり、履物の中で安定させることができる。
【００２１】
図３に示すように、上側張出部３は、後方に向かって張り出した第２部分３２を含むことが好ましい。この構成を採用することにより、親指と人差し指との間で第２部分３２が足の上側に被さる形となるので、安定して装着させることができる。
【００２２】
図２、図４、図５に示すように、下側張出部２は、下側に平坦な面２ａを有することが好ましい。この構成を採用することにより、足指間装着具１０１は床面または履物の底面に対して面２ａを以て当接することができるので、使用者に与える違和感を小さくすることができる。
【００２３】
図１、図４に示すように、柱部１の側面と上側張出部３の下面とは連続的な曲面を介してつながっていることが好ましい。この構成を採用することにより、使用者の足指の形になじんで装着することができる。
【００２４】
なお、本実施の形態では、足指間装着具は弾性材料で形成されているものとして説明したが、ここでいう弾性材料は、たとえばシリコーンゴムであってもよく、たとえばエラストマーであってもよい。弾性材料は、たとえば硬度２０以上４０以下のものであってもよい。
【００２５】
（実施の形態２）
（構成）
図９〜図１０を参照して、本発明に基づく実施の形態２における足指間装着具１０３について説明する。足指間装着具１０３の斜視図を図９に示し、側方から見たところを図１０に示す。足指間装着具１０３は、実施の形態１で示した足指間装着具１０１に比べて形状を単純化したものである。
【００２６】
足指間装着具１０３は、弾性材料で形成され、足の親指６１と人差し指６２との間に装着する足指間装着具である。足指間装着具１０３は、上下方向に延在し、中空で、上から見たとき前側９１がつながっていない柱部１と、柱部１の下端から、親指６１の下側の少なくとも一部および人差し指６２の下側の少なくとも一部にそれぞれ回り込むように左右に張り出した部分を含む下側張出部２と、柱部１の上端から、親指６１の上側の少なくとも一部および人差し指６２の上側の少なくとも一部にそれぞれ回り込むように左右に張り出した第１部分３１を含む上側張出部３とを備える。柱部１は、前側９１に凹部１ｃを有する。足指間装着具１０３は、直線的な形状を有する。本発明に基づく足指間装着具としては、このような構成を備えるものであってもよい。
【００２７】
（作用・効果）
本実施の形態においても、実施の形態１で説明した効果を得ることができる。
【００２８】
なお、本実施の形態では、柱部１が下側張出部２に対して垂直である例を示したが、図１１に示すように、柱部１は、上側にいくにつれて後ろ側に傾斜していてもよい。実施の形態１において既に述べたように、柱部１は、このように傾斜していることが、好ましい。
【００２９】
（実施の形態３）
（構成）
図１２を参照して、本発明に基づく実施の形態３における足指間装着具１０４について説明する。足指間装着具１０４の水平面で切った断面図を図１２に示す。柱部１は、水平面で切断して上から見たときの断面形状がＣ字形状となる部分を含む。この場合のＣ字形状は、円形の一部を欠落させた形状である。本発明に基づく足指間装着具としては、このような構成を備えるものであってもよい。
【００３０】
（作用・効果）
本実施の形態においても、基本的には、実施の形態１で説明したのと同様の効果を得ることができる。本実施の形態では、足指間装着具１０４として、柱部１の断面形状が円形に近いＣ字形状である例を示したが、これに限らず、たとえば図１３に示す足指間装着具１０５のようなものであってもよい。足指間装着具１０５では、断面形状がＣ字形状であり、この場合のＣ字形状は、長円形ないし楕円形の一部を欠落させた形状である。
【００３１】
足指間装着具１０４，１０５のような構成においても、柱部１は、上下方向に延在し、中空で、上から見たとき前側９１がつながっていない構造であるといえる。
【００３２】
（実施の形態４）
（構成）
図１４を参照して、本発明に基づく実施の形態４における足指間装着具１０６について説明する。図１４に示すように、足指間装着具１０６においては、上から見たとき、下側張出部２は左側９４および右側９５に向かってそれぞれ延在する部分を含む。本発明に基づく足指間装着具としては、このような構成を備えるものであってもよい。
【００３３】
（作用・効果）
本実施の形態においても、基本的には、実施の形態１で説明したのと同様の効果を得ることができる。ただし、実施の形態１で図３を参照して説明したように、上から見たとき、下側張出部２は左後ろ側９２および右後ろ側９３に向かってそれぞれ延在する部分を含むことが好ましい。
【００３４】
（実施の形態５）
（構成）
図１５を参照して、本発明に基づく実施の形態５における足指間装着具１０７について説明する。図１５に示すように、足指間装着具１０７においては、上側張出部３は、後方に向かって張り出した第２部分を含んでいない。上側張出部３は、左右に張り出す第１部分３１を含んでいるが、柱部１より後ろ側に張り出す部分がない。本発明に基づく足指間装着具としては、このような構成を備えるものであってもよい。
【００３５】
（作用・効果）
本実施の形態においても、基本的には、実施の形態１で説明したのと同様の効果を得ることができる。ただし、実施の形態１で図３を参照して説明したように、上側張出部３は、後方に向かって張り出した第２部分３２を含むことが好ましい。
【００３６】
（実験結果）
本発明の効果を検証するために、９人の大学生を被験者として、歩幅の測定を行なった。各被験者には、素足の状態と、本発明品を両足に着用した状態との２通りで、それぞれトレッドミル上で歩いてもらった。ここでいう本発明品としては、実施の形態１で示した足指間装着具１０１を使用した。トレッドミルの回転速度は、女性の場合は５．０ｋｍ／ｈ、男性の場合は６．０ｋｍ／ｈに設定した。被験者がトレッドミル上で歩く姿を側方からビデオ撮影し、両足接地時の前方にある足のつま先から後方にある足のつま先までの長さを歩幅として測定した。測定結果を表１に示す。
【００３７】
【表１】
2019141168.tif 000003
【００３８】
さらに、表１に示した測定値から必要なパラメータを求めると以下のようになる。
差の平均Σｄ            −２０
差の２乗の合計            ７４
標本数ｎ                    ９
差の平均                  −２．２２２２２
データ差の分散σ2          ３．６９４
差の標準偏差σ              １．９２２
ｔ値                      −３．４６８
有意水準                  ５％に設定
ｔ値臨界値                  ２．３０６
素足の状態と、本発明品を両足に着用した状態との間で歩幅の差はないという帰無仮説を立て、有意水準５％としたとき、ｔ分布表からｔ値臨界値は２．３０６となる。今回の実験では、ｔ値は−３．４６８となり、絶対値３．４６８はｔ値臨界値２．３０６以上であるので、帰無仮説は棄却される。したがって、素足の場合と本発明品を両足に着用した場合とで、歩幅に有意な差があるといえる。これは、本発明品を両足に着用したことで、足指の間が刺激され、歩幅が大きくなっていると考えられる。歩幅が大きくなっているということは、歩行効率が高まっているといえる。
【００３９】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００４０】
１  柱部、１ｃ  凹部、２  下側張出部、２ａ  面、３  上側張出部、３１  第１部分、３２  第２部分、６１  親指、６２  人差し指、９１  前側、９２  左後ろ側、９３  右後ろ側、９４  左側、９５  右側、１０１，１０２，１０３，１０４，１０５，１０６，１０７  足指間装着具。
【図１】
2019141168.tif 000004
【図２】
2019141168.tif 000005
【図３】
2019141168.tif 000006
【図４】
2019141168.tif 000007
【図５】
2019141168.tif 000008
【図６】
2019141168.tif 000009
【図７】
2019141168.tif 000010
【図８】
2019141168.tif 000011
【図９】
2019141168.tif 000012
【図１０】
2019141168.tif 000013
【図１１】
2019141168.tif 000014
【図１２】
2019141168.tif 000015
【図１３】
2019141168.tif 000016
【図１４】
2019141168.tif 000017
【図１５】
2019141168.tif 000018